(57)【特許請求の範囲】
【請求項１】
収納物が収納される収納箱本体の内部に額縁状の枠体が設けられており、前記枠体の内側に収納物が配置される収納箱において、
前記枠体は、額縁の各辺を構成し互いに連結される枠部材を備えており、
前記枠部材は、前記枠部材を構成するブランク材の裏面に形成された切り込みを表面側が凸となるように折り曲げて作成可能であり、
前記切り込みはブランク材の裏面であって、
前記額縁状の枠体の対向する二辺に、それぞれ一対に形成され、かつ各辺で内側に面する辺が曲線状に、外側に面する辺が直線状に、それぞれ形成され、
前記額縁状の枠体の他の対向する二辺に、直線状に形成されていることを特徴とする収納箱。
【請求項２】
請求項１に記載の収納箱であって、
前記切り込みは、ハーフカット刃で一定の深さに形成されてなることを特徴とする収納箱。
【請求項３】
請求項１又は２に記載の収納箱であって、
前記枠部材のブランク材は、段ボールで形成されており、
前記段ボールが、段ボール層と、該段ボール層の一面であって前記枠体の表面側に形成された印刷層とを備えており、
前記切り込みは、前記印刷層を含む前記枠体の表面側の一部を除いた前記段ボール層の一定の厚み分だけ形成されてなることを特徴とする収納箱。
【請求項４】
請求項１〜３のいずれか一項に記載の収納箱であって、
前記枠部材のブランク材は、波形が連続した断面形状の中芯を備えた段ボールで形成されており、
前記切り込みは、前記中芯の波形が連続する方向と直交する方向に形成されていることを特徴とする収納箱。
【請求項５】
請求項１〜４のいずれか一項に記載の収納箱であって、
前記枠部材のブランク材の表面側には印刷層が形成されていることを特徴とする収納箱。
【発明の詳細な説明】
【技術分野】
【０００１】
本発明は、贈答品などを収納する収納箱に関する。
【背景技術】
【０００２】
従来、贈答品を箱詰めして店頭に陳列する収納箱などでは、贈答品が収納される収納箱本体の内壁に沿うように額縁状の枠体が設けられることがある。枠体は紙製のブランク材を折り曲げて形成されており、贈答品はこの枠体の内側に配置される。
【０００３】
枠体は、ブランク材の折曲線上にプレス加工によって形成された幅狭な凹状の溝部で折り曲げて形成される。
【先行技術文献】
【特許文献】
【０００４】
【特許文献１】特開２００４−２５６１７２号公報
【発明の概要】
【発明が解決しようとする課題】
【０００５】
額縁状の枠体は、四方の枠部材を備えており、この枠部材の表面側が凸となるように折り曲げられて、互いに連結されて形成されるが、枠部材には折り曲げられた状態で弾性力が発生しており、この弾性力によって、枠部材同士の接続部が外れて、収納箱本体から脱落することがある。
【０００６】
また、折曲線として枠部材の表面側に凹状の溝部を形成すると、美観を損ねるとともに、表面側に印刷層などを形成して枠部材を美的に処理することが難しくなる。
【０００７】
本発明は、従来のこのような問題点を解決するためになされたものであって、その目的は、収納箱本体に、四方の枠部材を備えた額縁状の枠体が設けられ、枠体の内側に贈答品が配置される収納箱において、ブランク材が表面側に凸となるように折り曲げられて形成された枠部材が発生する弾性力を軽減することができ、さらに枠部材の表面を美的に処理することができる収納箱を提供することである。
【課題を解決するための手段及び発明の効果】
【０００８】
上記目的を達成するために、本発明の一の収納箱によれば、収納物が収納される収納箱本体の内部に額縁状の枠体が設けられており、前記枠体の内側に収納物が配置される収納箱において、前記枠体は、額縁の各辺を構成し互いに連結される枠部材を備えており、前記枠部材は、前記枠部材を構成するブランク材の裏面に形成された切り込みを表面側が凸となるように折り曲げて作成可能であり、前記切り込みはブランク材の裏面であって、前記額縁状の枠体の対向する二辺に、それぞれ一対に形成され、かつ各辺で内側に面する辺が曲線状に、外側に面する辺が直線状に、それぞれ形成され、前記額縁状の枠体の他の対向する二辺に、直線状に形成されていることを特徴とする。
【０００９】
上記構成によれば、折曲部に沿って、断面が凹状の折り曲げ用の溝部をブランク材の裏面にプレス加工によって形成して、この溝部で折り曲げた場合に比べて、折曲部に生じる弾性力を小さくすることができる。また、枠部材の表面に切り込みや凹状の溝部を形成しないので、枠部材の表面を美的に処理することができる。
また、前記切り込みは、ハーフカット刃で一定の深さに形成することが好ましい。
【００１０】
また、前記枠部材のブランク材は、内部に空間を備えていることを特徴とする。
【００１１】
上記構成によれば、内部が中実のブランク材と比べて、切り込みで折り曲げたとき、折曲部に生じる弾性力を小さくすることができる。
【００１２】
また、前記枠部材のブランク材は、段ボールで形成されており、前記段ボールが、段ボール層と、該段ボール層の一面であって前記枠体の表面側に形成された印刷層とを備えており、前記切り込みは、前記印刷層を含む前記枠体の表面側の一部を除いた前記段ボール層の一定の厚み分だけ形成されていることを特徴とする。
【００１３】
上記構成によれば、段ボールを用いることによって前記枠部材のブランク材の内部に容易に空間を形成することができる。
【００１４】
また、前記枠部材のブランク材は、波形が連続した断面形状の中芯を備えた段ボールで形成されており、前記切り込みは、前記中芯の波形が連続する方向と直交する方向に形成されていることを特徴とする。
【００１５】
上記構成によれば、切り込みの両側に位置する段ボールの中芯は、波形が連続する方向に容易に圧縮可能であるので、折曲部に生じる弾性力を一層小さくすることができる。
【００１７】
切り込みを曲線状に形成した場合には、断面が凹状の折り曲げ用の溝部をプレス加工によって曲線状に形成した場合に比べて、折曲部に生じる弾性力を小さくすることができるので、大きな弾性力を生じることなく容易に曲線状に折り曲げることができる。
【００１８】
また、前記枠部材のブランク材の表面側には印刷層が形成されていることを特徴とする。
【００１９】
上記構成によれば、印刷層を形成して枠部材の表面を美的に処理することができる。
【図面の簡単な説明】
【００２０】
【図１】本発明の一実施形態に係る収納箱の部品構成を示す斜視図である。
【図２】枠体の展開図である。
【図３】切り込みの作成手順を示す図である。
【図４】枠体の組み立て手順を示す斜視図である。
【図５】枠体の組み立て手順を示す斜視図である。
【図６】枠体の組み立て手順を示す斜視図である。
【図７】枠体の組み立て手順を示す斜視図である。
【図８】ＶＩＩＩ−ＶＩＩＩ断面図である。
【発明を実施するための形態】
【００２１】
以下、本発明の実施例を図１〜図８に基づいて説明する。ただし、以下に示す実施例は、本発明の技術思想を具体化するための収納箱を例示するものであって、収納箱を以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２２】
図１は、本発明の収納箱１の構成部品を示す斜視図である。収納箱１は、収納箱本体２と、蓋３と、収納箱本体に設置される枠体４とを備えている。
【００２３】
（枠体４）
図２Ａは枠体４の展開図を示し、図２Ｂは図２ＡのＩＩＢ−ＩＩＢ断面を示す。枠体４には収納物が載置される底壁５が形成されている。底壁５の一方の対向する一組の辺には折曲線６，７が設けられており、この折曲線６，７を介して外側壁部８，９が設けられている。外側壁部８，９の外側には折曲線１０，１１を介して幅狭な上部壁部１２，１３が形成されている。上部壁部１２，１３の外側には、なだらかな円弧状の折曲部１４，１５を介して内側壁部１６，１７が設けられている。外側壁部８，９の両側部には各々折曲線１８を介してフラップ１９が設けられており、内側壁部１６，１７の両側部には各々折曲線２０を介してフラップ２１が設けられている。なお、折曲線２０の先端部には、後述する凸部３８が係合する切り込み２２が形成されている。
【００２４】
底壁５の他方の対向する一組の辺には折曲線２６，２７が設けられており、この折曲線２６，２７を介して外側壁部２８，２９が設けられている。外側壁部２８，２９の外側には折曲線３０，３１を介して幅狭な上部壁部３２，３３が形成されている。上部壁部３２，３３の外側には折曲線３４，３５を介して内側壁部３６，３７が設けられている。内側壁部３６，３７の両側部には各々凸部３８が形成されており、凸部３８は切り込み２２に係合する。
【００２５】
なお、底壁５と外側壁部８，９とを接続する折曲線６，７上には凸状の切り込み４２が２つずつ形成されており、ブランク材が折り曲げられて枠体４が作成されると、この切り込み４２によって凸部４３が形成される。凸部４３は収納箱本体２に設けられた切り欠き４４に係合する。
【００２６】
（切り込み作成手順）
上部壁部１２，１３と内側壁部１６，１７とを接続する円弧状の折曲部１４，１５は、ブランク材の裏面側に、折曲部１４，１５に沿って形成された切り込みである。切り込みはブランク材の厚み方向に形成される。ここで、切り込みの作成手順を図３に基づいて説明する。
【００２７】
切り込みを形成するハーフカット刃５２は木型５１に固定されており、このハーフカット刃５２との間に隙間を設けた状態で、プレス用のプレート５３が設置される。枠体４のブランク材は、ハーフカット刃５２が設置された木型５１と、プレス用のプレート５３との間に設置される。このときの状態を図３Ａに示す。
【００２８】
プレス用のプレート５３によってブランク材が木型５１に押し付けられて、ハーフカット刃５２がブランク材に突き入れられた状態を図３Ｂに示す。ハーフカット刃５はブランク材の裏面側から厚み方向に突き入れられている。枠体４は、たとえば段ボール層４ａと、枠体４の表面側に形成された印刷層４ｂとを備えて美的に処理されているが、印刷層４ｂを含んだ表面側の一部を除いた段ボール層４ａの一定の厚み分だけハーフカット刃５２が突き入れられる。
【００２９】
図３Ｃは、ハーフカット刃５２が固定された木型５１からプレス用のプレート５３が離れて元の位置に戻り、ブランク材がハーフカット刃５２から離された状態を示す。このときブランク材の裏面側には、ハーフカット刃５２の長手方向に沿った一定の深さの切り込みが形成される。
【００３０】
（枠体作成手順）
ここでブランク材を折り曲げて枠体４を作成する手順について説明する。まず底壁５の周囲に設けられた一方の対向する外側壁部８，９を折曲線６，７で垂直に折り曲げる。さらに、外側壁部８に対して上部壁部１２と内側壁部１６とを折曲線６で水平に折り曲げ、外側壁部９に対して上部壁部１３と内側壁部１７とを折曲線７で水平に折り曲げる。このときの状態を図４に示す。このとき、折曲線６，７上の切り込み４２によって凸部４３が形成される。
【００３１】
そして、折曲部１４，１５で内側壁部１６，１７を下方に折り曲げる。内側壁部１６，１７の両側部に位置するフラップ２１を折曲線２０で内側に折り曲げ、外側壁部８，９の両側部に位置するフラップ１９を折曲線１８で内側に折り曲げる。このときの状態を図５に示す。
【００３２】
外側壁部２８と上部壁部３２と内側壁部３６とを折曲線２６で垂直に立ち上げた後、上部壁部３２と内側壁部３６とが水平になるように折曲線３０で内側に折り曲げる。さらに、外側壁部２９と上部壁部３３と内側壁部３７とを折曲線２７で垂直に立ち上げた後、上部壁部３３と内側壁部３７とが水平になるように折曲線３１で内側に折り曲げる。このときの状態を図６に示す。
【００３３】
内側壁部３６，３７を折曲線３４，３５で斜め下方に折り曲げる。このとき内側壁部３６，３７の両側部に形成された凸部３８が、内側壁部１６，１７の両側部に形成された切り込み２２に係合されて枠体４が形成される。このときの状態を図７に示す。外側壁部８と上部壁部１２と内側壁部１６とで第１の枠部材が構成され、外側壁部９と上部壁部１３と内側壁部１７とで第１の枠部材と対向する第２の枠部材が構成される。外側壁部２８と上部壁部３２と内側壁部３６とで第３の枠部材が構成され、外側壁部２９と上部壁部３３と内側壁部３７とで第３の枠部材と対向する第４の枠部材が構成される。
【００３４】
図７のＶＩＩＩ−ＶＩＩＩ断面図を図８Ａに示す。上部壁部１２と内側壁部１６とを接続する折曲部１４、上部壁部１３と内側壁部１７とを接続する折曲部１５では、円弧状の折曲部１４，１５に沿った切り込み４８が裏面側に形成されており、この切り込み４８に沿って、表面側に凸となるように折り曲げ可能である。
【００３５】
円弧状の折曲部１４，１５に沿って、断面が凹状の折り曲げ用の溝部を裏面側にプレス加工によって形成して、この溝部で折り曲げた場合に比べて、折曲部１４，１５に生じる弾性力が小さくなり、たとえば内側壁部１６，１７の切り込み２２に係合している内側壁部３６，３７の凸部３８が、内側壁部１６，１７の切り込み２２から外れて、枠体４が収納箱本体から脱落することを効果的に防止することができる。
【００３６】
段ボールで作成した枠体４の上部壁部１２と内側壁部１６との接続部を図８Ｂに示す。段ボールは、たとえば２つの平板状のライナーと、ライナーの間に挟まれた波形の中芯とで構成されており、内部に空間を備えているので、折曲部１４，１５において折り曲げたとき、内部が中実のものと比べて、折曲部１４，１５に生じる弾性力を小さくすることができる。
【００３７】
切り込み４８が、中芯の波形が連続する方向と直交する方向に形成されている場合には、折曲部１４，１５において、切り込み４８の両側に位置する中芯は、波形が連続する方向に容易に圧縮可能である。これによって、折曲部１４，１５に生じる弾性力を一層小さくすることができる。
【００３８】
切り込み４８は、折曲部１４，１５の裏面側に形成されており、折曲部１４，１５の表面側に形成されていないので、たとえば表面側をすっきりとしたに印刷層を形成することができ、枠体４を美的に処理することができる。
【００３９】
たとえば、第１の枠部材〜第４の枠部材を形成する折曲部１４，１５以外の折曲線１０，１１，３０，３４，３１，３５においても、折曲部１４，１５と同様に裏面側に切り込みを形成して、この切り込みに沿って折り曲げることができる。このようにすると、内側壁部１６，１７，３６，３７および上部壁部１２，１３，３２，３３の表面に、たとえば人目を惹く印刷層を形成して、第１の枠部材〜第４の枠部材の表面を美的に処理することができる。
【産業上の利用可能性】
【００４０】
本発明の収納箱は、贈答品などを収納する収納箱として好適に利用できる。
【符号の説明】
【００４１】
１…収納箱
２…収納箱本体
３…蓋
４…枠体
４ａ…段ボール層
４ｂ…印刷層
５…蓋
６，７，１０，１１，１８，２０，２６，２７，３０，３１，３４，３５…折曲線
８，９，２８，２９…外側壁部
１２，１３，３２，３３…上部壁部
１４，１５…折曲部
１６，１７，３６，３７…内側壁部
１９，２１…フラップ
２２，４２，４８…切り込み
３８，４３…凸部
４４…切り欠き
５１…木型
５２…ハーフカット刃
５３…プレス用のプレート
【図１】
0006523625.tif 000002
【図２】
0006523625.tif 000003
【図３】
0006523625.tif 000004
【図４】
0006523625.tif 000005
【図５】
0006523625.tif 000006
【図６】
0006523625.tif 000007
【図７】
0006523625.tif 000008
【図８】
0006523625.tif 000009